(57)【要約】【課題】音飛び等を起こしにくくし、機器の信頼性をあげるとともに、省電力化を図る。【解決手段】本発明の情報記録再生装置は、情報記録媒体１から再生データ７Ｓを読み出す再生部と、再生データ７Ｓを蓄積する再生データ蓄積部７と、再生データ蓄積部７に蓄積された再生データ量７Ｓを管理し、再生データ量に応じて、再生データの読み出しを命じる再生データ蓄積処理部８とを備える。再生データ蓄積処理部８は、蓄積された再生データ量が所定の基準値よりも少ないと判断した場合に、サブコード信号８Ｓに基づいて蓄積された再生データ量によって再生出力中の曲の最後まで再生できるか否かの判断を行い、判断結果に応じて再生データ７Ｓの読み出しを命じる。【選択図】  図１
2004158078.tif 000002
【特許請求の範囲】
【請求項１】
情報記録媒体から読み出される再生データを一旦蓄積しておいて、その蓄積された前記再生データを外部に再生出力する情報記録再生装置であって、
前記情報記録媒体から前記再生データを読み出す再生部と、
前記再生部によって読み出された前記再生データを蓄積する再生データ蓄積部と、
前記再生データ蓄積部に蓄積された再生データ量を管理し、前記再生データ量に応じて、前記再生部に対して前記再生データの読み出しを命じる再生データ蓄積処理部とを備え、
前記再生データ蓄積処理部は、
前記再生データ蓄積部に蓄積された前記再生データ量が所定の基準値よりも少ないと判断した場合に、前記再生部から得られるサブコード信号に基づいて、前記再生データ蓄積部の前記再生データ量によって前記再生出力中の曲の最後まで再生できるか否かの判断を行い、その判断結果に応じて、前記再生部に前記再生データの読み出しを命じる
ことを特徴とする情報記録再生装置。
【請求項２】
請求項１に記載の情報記録再生装置において、
前記再生データ蓄積部に蓄積された前記再生データを入力し、その再生データの前記再生出力の開始または停止を行う再生出力スイッチ部をさらに備え、
前記再生データ蓄積処理部は、
前記再生データ蓄積部に蓄積された前記再生データ量で前記再生出力中の曲の最後まで再生できると判断した場合に、前記サブコード信号に基づいて、前記再生出力中の曲が最後の以外の曲であると判断すると、前記再生中の曲が最後まで再生されると前記再生出力スイッチ部に前記再生データ蓄積部からの前記再生データの前記再生出力の停止を命じるとともに、前記再生部に前記再生データの読み出しの停止を命じるものであり、
前記再生出力スイッチ部は、
前記再生データ蓄積処理回路から前記再生データの前記再生出力の停止命令を受けると、その再生出力を停止するものである
ことを特徴とする情報記録再生装置。
【請求項３】
請求項１に記載の情報記録再生装置において、
前記再生データ蓄積処理部は、
前記再生データ蓄積部に蓄積された前記再生データ量で前記再生出力中の曲の最後まで再生できないと判断した場合は、前記再生部に命じる前記再生データの読み出しを、その読み出し速度を上げて読み出すことを命じるものである
ことを特徴とする情報記録再生装置。
【請求項４】
請求項３に記載の情報記録再生装置において、
前記再生データ蓄積処理部は、
前記再生データ蓄積部に蓄積された前記再生データ量に応じて、前記読み出し速度を上げて読み出すものである
ことを特徴とする情報記録再生装置。
【請求項５】
請求項２〜請求項４のいずれかに記載の情報記録再生装置において、
前記再生データ蓄積処理部は、
前記再生部に命じる前記再生データの読み出しとして、前記所定の基準値に到達するまで読み出すことを命じるものである
ことを特徴とする情報記録再生装置。
【請求項６】
請求項２〜請求項４のいずれかに記載の情報記録再生装置において、
前記再生データ蓄積処理部は、
所定の基準時間に到達するまで時間を計測するカウント部を含んでおり、
前記再生部に命じる前記再生データの読み出しとして、前記所定の基準時間に到達するまで読み出すことを命じるものである
ことを特徴とする情報記録再生装置。
【請求項７】
請求項２〜請求項４のいずれかに記載の情報記録再生装置において、
前記再生データ蓄積処理部は、
所定の基準時間に到達するまで時間を計測するカウント部を含んでおり、
前記再生部に命じる前記再生データの読み出しとして、前記所定の基準値に到達するまでの読み出しと、前記所定の基準時間に到達するまでの読み出しとを、前記所定の基準値または前記所定の時間のいずれかに早く到達するまでその読み出し命じる
ことを特徴とする情報記録再生装置。
【発明の詳細な説明】
【０００１】
【発明の属する技術分野】
本発明は、情報記録媒体からデータを読み出して再生処理を行う情報記録再生装置の技術に関する。
【０００２】
【従来の技術】
情報記録再生装置によってデータの再生を行う場合、情報記録媒体からデータを読み出して再生処理を行う。この場合、情報記録再生装置に対して外部から強い振動や衝撃等が加わると、トラッキング外れ等が生じる。その結果、再生データを読み出すことができずに音飛びが発生したり、また、再度トラッキングの同期を取ろうとするためにその間は正常なデータの再生動作ができない場合が発生する。
【０００３】
従来の情報記録再生装置は、このような外部からの強い振動や衝撃による再生処理の際に生じる問題に対して、以下のような対策を講じていた。
【０００４】
すなわち、再生データを一旦、再生データの蓄積用のバッファメモリ（以下、「再生データ蓄積バッファメモリ」という）に格納し、メモリ上から再生データの再生出力を行う方法が用いられてきた。強い衝撃や振動によって、実際にトラッキング外れが生じた場合、再生データ蓄積バッファメモリ内に事前に蓄積しておいたデータを使用し、データの再生を継続して行う。そして、その間にトラッキングの同期を取って再生処理を継続し、再生時に生じる音飛び等を解消してきた。
【０００５】
その上、短時間に連続して外部からの強い振動や衝撃を受けた場合、またはトラッキング外れが連続して起こった場合などには、記録媒体からの再生データの読み出しが中断され、再生データ蓄積バッファメモリへの再生データの供給が途絶えてバッファメモリが枯渇し、再生処理不能に陥る可能性がある。その場合を考慮して、再生データ蓄積バッファメモリへの再生データの充足は、なるべく常時行う必要がある。そこで、記録媒体から再生データを読み出す速度を常時高速化することによって、再生データ蓄積バッファメモリへのデータの充足を短時間で行っていた。
【０００６】
【特許文献】
特開２０００−１０５９７８号公報（第８頁、第１図）
【０００７】
【発明が解決しようとする課題】
しかしながら、このように記録媒体からの再生データの読み出しを常時高倍速化しておくことは、近年の機器のポータブル化などによって要求される省電力化の観点から問題である。
【０００８】
そこで、本発明の目的は、音飛び等を起こしにくくして機器の信頼性をあげるとともに、省電力化を可能とする情報記録再生装置を提供することである。
【０００９】
【課題を解決するための手段】
上記課題を解決するために、本発明の請求項１に係る情報記録再生装置は、情報記録媒体から読み出される再生データを一旦蓄積しておいて、その蓄積された前記再生データを外部に再生出力する情報記録再生装置であって、前記情報記録媒体から前記再生データを読み出す再生部と、前記再生部によって読み出された前記再生データを蓄積する再生データ蓄積部と、前記再生データ蓄積部に蓄積された再生データ量を管理し、前記再生データ量に応じて、前記再生部に対して前記再生データの読み出しを命じる再生データ蓄積処理部とを備え、前記再生データ蓄積処理部は、前記再生データ蓄積部に蓄積された前記再生データ量が所定の基準値よりも少ないと判断した場合に、前記再生部から得られるサブコード信号に基づいて、前記再生データ蓄積部の前記再生データ量によって前記再生出力中の曲の最後まで再生できるか否かの判断を行い、その判断結果に応じて、前記再生部に前記再生データの読み出しを命じるものである。
【００１０】
請求項１の発明によると、再生データ蓄積処理部は、再生データ蓄積部に蓄積された再生データ量では、再生中の曲の最後まで再生できるか否かを判断し、その判断結果に応じて再生部に再生データの読み出しを命じる。これにより、その判断結果に応じた再生データの蓄積が可能になり、音飛び等を起こしにくくし、機器の信頼性をあげることができる。また、従来のように、再生データの読み出しを常時高倍速化しておく必要がないため、省電力化を可能にする。また、非常に簡単に曲間などにデータの蓄積を行うため、利用者に利用上の不便を感じさせない。
【００１１】
また、請求項２の発明は、請求項１に記載の情報記録再生装置において、前記再生データ蓄積部に蓄積された前記再生データを入力し、その再生データの前記再生出力の開始または停止を行う再生出力スイッチ部をさらに備え、前記再生データ蓄積処理部は、前記再生データ蓄積部に蓄積された前記再生データ量で前記再生出力中の曲の最後まで再生できると判断した場合に、前記サブコード信号に基づいて、前記再生出力中の曲が最後の以外の曲であると判断すると、前記再生中の曲が最後まで再生されると前記再生出力スイッチ部に前記再生データ蓄積部からの前記再生データの前記再生出力の停止を命じるとともに、前記再生部に前記再生データの読み出しの停止を命じるものであり、前記再生出力スイッチ部は、前記再生データ蓄積処理回路から前記再生データの前記再生出力の停止命令を受けると、その再生出力を停止するものである。
【００１２】
請求項２の発明によると、再生出力中の曲の最後まで再生可能と判断し、サブコード信号に基づいてその曲が最後の以外の曲であると判断した場合に、曲間を利用して再生データの読み出しを命じる。これにより、再生データが蓄積され、音飛び等を起こしにくくし、機器の信頼性をあげることができる。また、従来のように、再生データの読み出しを常時高倍速化しておく必要がないため、省電力化を可能にする。また、曲間を利用して再生データを蓄積するため、利用者に利用上の不便を感じさせない。
【００１３】
また、請求項３の発明は、請求項１に記載の情報記録再生装置において、前記再生データ蓄積処理部は、前記再生データ蓄積部に蓄積された前記再生データ量で前記再生出力中の曲の最後まで再生できないと判断した場合は、前記再生部に命じる前記再生データの読み出しを、その読み出し速度を上げて読み出すことを命じるものである。
【００１４】
請求項３の発明によると、再生出力中の曲の最後まで再生が不可能であると判断した場合に、再生データの読み出し速度を上げてその再生データを読み出すように再生部に命じる。これにより、必要な場合に、再生データの読み出しを、その速度を上げて行うため、省電力化を実現することができる。また、音飛び等を起こしにく、機器の信頼性をあげることができ、さらには、利用者に利用上の不便を感じさせない。
【００１５】
また、請求項４の発明は、請求項３に記載の情報記録再生装置において、前記再生データ蓄積処理部は、前記再生データ蓄積部に蓄積された前記再生データ量に応じて、前記読み出し速度を上げて読み出すものである。
【００１６】
請求項４の発明によると、再生データ蓄積部に蓄積された再生データ量に応じた再生データの蓄積が可能になるため、よりきめ細やかに省電力化を実現するこておができる。
【００１７】
また、請求項５の発明は、請求項２〜請求項４のいずれかに記載の情報記録再生装置において、前記再生データ蓄積処理部は、前記再生部に命じる前記再生データの読み出しとして、前記所定の基準値に到達するまで読み出すことを命じるものである。
【００１８】
また、請求項６の発明は、請求項２〜請求項４のいずれかに記載の情報記録再生装置において、前記再生データ蓄積処理部は、所定の基準時間に到達するまで時間を計測するカウント部を含んでおり、前記再生部に命じる前記再生データの読み出しとして、前記所定の基準時間に到達するまで読み出すことを命じるものである。
【００１９】
また、請求項７の発明は、請求項２〜請求項４のいずれかに記載の情報記録再生装置において、前記再生データ蓄積処理部は、所定の基準時間に到達するまで時間を計測するカウント部を含んでおり、前記再生部に命じる前記再生データの読み出しとして、前記所定の基準値に到達するまでの読み出しと、前記所定の基準時間に到達するまでの読み出しとを、前記所定の基準値または前記所定の時間のいずれかに早く到達するまでその読み出し命じるものである。
【００２０】
請求項７の発明によると、再生データの読み出しについて所定の基準値、所定の基準時間を設けて柔軟に行うため、より適切に再生データの蓄積を行うことができ、機器の信頼性をよりあげて、利用者の不便をより解消することができる。
【００２１】
【発明の実施の形態】
以下に、本発明の一実施形態について図面を参照しながら説明する。
【００２２】
図１は本発明の一実施形態に係る情報記録再生装置の構成を説明するためのブロック図である。
【００２３】
図１に示す情報記録再生装置は、情報記録媒体１、モータ２（再生部に含まれる）、モータサーボ３（再生部に含まれる）、ＣＰＵ４（再生部に含まれる）、トラッキングサーボ５（再生部に含まれる）、ピックアップ（再生部に含まれる）６、再生データ蓄積バッファメモリ７（再生データ蓄積部に対応する）、再生データ蓄積処理回路８（再生データ蓄積処理部に対応する）、再生出力スイッチ回路１１（再生出力スイッチ部に対応する）、メモリ充足処理選択回路１２（メモリ充足処理選択部に対応する）、及び再生出力開始停止指示回路１３を備えている。また、再生データ蓄積処理回路８は、メモリ容量管理回路９、及びタイマー回路１０（カウント部に対応する）を有している。
【００２４】
情報記録媒体１からデータを再生する場合において、情報記録媒体１からピックアップ６を通して出力された再生データ７Ｓは、再生データ蓄積バッファメモリ７に読みとられ蓄積される。再生データ蓄積バッファメモリ７に蓄積された再生データ７Ｓは、再生出力スイッチ回路１１を通して外部へ再生出力される。
【００２５】
再生データ蓄積バッファメモリ７は、ピックアップ６から出力される再生データ７Ｓを蓄積するメモリである。
【００２６】
再生データ蓄積処理回路８は、上述の通り、メモリ容量管理回路９、及びタイマー回路１０を有しており、ピックアップ６からのサブコード信号８Ｓを入力し、また再生データ蓄積バッファメモリ７に蓄積された再生データ量を管理し、その再生データ量に応じて、機器の内部での再生処理をＣＰＵ４に命じたり、再生出力開始停止指示回路１３に再生出力の開始または停止を命じたり、蓄積処理を行う際にメモリ充足処理回路１２に対してその蓄積のために用いる基準の選択を命じる。
【００２７】
メモリ容量管理回路９は、再生データ蓄積バッファメモリ７に蓄積された再生データ量を管理する回路である。メモリ容量管理回路９は、再生データ蓄積バッファメモリ７に蓄積された再生データ７Ｓを常時監視する。
【００２８】
図２はメモリ容量管理回路７におけるメモリ容量の管理について説明するための図である。図２に示すように、再生データ蓄積バッファメモリ７に蓄積された再生データ７Ｓの最後尾のアドレス２０２から再生データ７Ｓの先頭アドレス２０１を除算することによって、再生データ７Ｓの蓄積量を算出することができる。例えば、ＣＤの音楽再生の場合であれば、２７６０バイトあたり１／７５秒で再生が行われるため、再生データ７Ｓのバイト数によって再生時間を算出することができる。
【００２９】
また、メモリ容量管理回路９は、ピックアップ６から出力されるサブコード信号８Ｓをもとに現在再生中の曲の経過時間を検出し、曲のどの部分が再生されているか、曲の終わりまであとどれくらいあるかを検出する。また、現在再生中のトラック番号を検出し、その曲の最後であるか否かを検出する。
【００３０】
さらに、メモリ容量管理回路９内には、再生データ蓄積バッファメモリ７に蓄積されたデータ量の多少を判断するための所定の基準値が設定されており、その値は任意に設定可能である。そして、メモリ容量管理回路９は、その所定の基準値をもとに、再生データ蓄積バッファメモリ７に蓄積されたデータ量の多少を判断する。
【００３１】
タイマー回路１０は、機器内部で再生を行って、再生データ蓄積バッファメモリ７に再生データ７Ｓを充足する場合に、どれくらいの時間その充足を行うかの所定の基準時間をカウントするものであり、その値は任意に設定可能である。
【００３２】
再生出力開始停止指示回路１３は、メモリ容量管理回路９において再生データ蓄積バッファメモリ７に蓄積されたデータ量が所定の基準値に到達したとき、またはタイマー回路１０において所定の基準時間が経過したとき、再生出力スイッチ回路１１に対して再生データ７Ｓの再生出力の開始を命じる。一方、メモリ容量管理回路９において現在再生中の曲がその曲の最後に到達し曲間になったことが判断されると、再生出力スイッチ回路１１に対して再生データ７Ｓの出力の停止を命じる。
【００３３】
再生出力スイッチ回路１１は、再生データ蓄積バッファメモリ７に蓄積された再生データ７Ｓの再生出力を、再生出力開始停止指示回路１３からの指示に応じて、開始または停止する。
【００３４】
メモリ充足処理選択回路１２は、再生データ７Ｓを蓄積する際に用いる基準を選択する回路である。すなわち、メモリ容量管理回路９内の所定の基準値に到達するまで機器内部で再生処理を行って再生データ蓄積バッファメモリ７に再生データ７Ｓを蓄積するか、またはタイマー回路１０内の所定の基準時間になるまで機器内部で再生処理を行って再生データ蓄積バッファメモリ７に再生データ７Ｓを蓄積するか、またはその所定の基準値及び所定の基準時間の両方に基づいて機器内部で再生処理を行って再生データ蓄積バッファメモリ７に再生データを蓄積するかのいずれかを選択する。なお、メモリ充足処理選択回路１２によって選択された上記いずれかの基準にしたがって、再生データ蓄積処理回路８は、その所定の基準値または（及び）所定の基準時間に到達するまで機器の内部で再生処理を行わせるための命令をＣＰＵ４に対して出力する。
【００３５】
以上を踏まえて、以下に、図１に示した情報記録再生装置の動作について、図３を参照しながら説明する。
【００３６】
図３は、本発明の本実施形態における情報記録再生装置の動作を説明するためのフローチャートである。
【００３７】
まず、現在、再生データ７Ｓの再生出力が行われている場合に、ステップＳＴ１に進む。
【００３８】
ステップＳＴ１において、再生データ蓄積処理回路８内のメモリ容量管理回路９は、再生データ蓄積バッファメモリ７に蓄積された再生データ量が、所定の基準値よりも上回っているか下回っているか否かを判断する。下回っていると判断した場合は（ステップＳＴ１でＮＯ）、ステップＳＴ２に進む。一方、上回っていると判断した場合は（ステップＳＴ１でＹＥＳ）、ステップＳＴ１０に進んで、再生データ蓄積バッファメモリ７からの再生データ７Ｓの再生出力を再生出力スイッチ回路１１を介して継続する。
【００３９】
ステップＳＴ２において、メモリ容量管理回路９は、再生データ蓄積バッファメモリ７に蓄積された再生データ量によって、現在再生中の曲の最後まで再生が可能か否かの判断を行う。すなわち、サブコード信号８Ｓをもとに現在再生中の曲を検出し、その曲の最後を示すデータ”１”が再生データ蓄積バッファメモリ７に蓄積されているか否かを検出することによって、その判断を行う。そして、メモリ容量管理回路９が再生データ蓄積バッファメモリ７内にデータ”１”が蓄積されていることを検出することにより、再生中の曲の最後まで再生が可能であると判断したときは（ステップＳＴ２でＹＥＳ）、ステップＳＴ３に進む。一方、再生データ蓄積バッファメモリ７内にデータ”１”が蓄積されていることを検出できず、再生中の曲の最後まで再生が可能でないと判断したときは（ステップＳＴ２でＮＯ）、ステップＳＴ５に進む。
【００４０】
ステップＳＴ３において、メモリ容量管理回路９は、現在再生中の曲が最後の曲以外の曲であるか否かを判断する。すなわち、メモリ容量管理回路９は、入力されるサブコード信号をもとにその演奏中の曲のトラック番号を検出することで判断する。そして、現在再生中の曲が、最後の曲以外の曲であると判断した場合は（ステップＳＴ３でＹＥＳ）、ステップＳＴ４に進む。このように、再生データ蓄積バッファメモリ７に蓄積された再生データ量が、所定の基準値よりも下回っており、かつ、現在再生中の曲の最後まで再生が可能であるが、その再生中の曲が最後の曲でない場合に、ステップＳＴ４に進んで、再生データ７Ｓを蓄積する処理を開始する。
【００４１】
一方、最後の曲であると判断した場合は（ステップＳＴ３でＮＯ）、ステップＳＴ１０に進んで、再生データ蓄積バッファメモリ７からの再生データ７Ｓの再生出力を再生出力スイッチ回路１１を介して継続する。
【００４２】
ステップ４において、メモリ容量管理回路９は、現在再生中の曲の最後まで再生が終了し曲間になったことを判断すると、再生データ蓄積バッファメモリ７に対して再生データ７Ｓを蓄積する処理を開始するとともに、再生出力スイッチ回路１１に対してその再生出力を停止させる。すなわち、この場合、メモリ容量管理回路９は、サブコード信号８Ｓによって曲間になったことを判断すると、再生データ７Ｓを蓄積するための蓄積処理を開始するとともに、再生出力開始停止指示回路１３を介して再生出力スイッチ回路１１に対して再生データ７Ｓの再生出力の停止を命じる。そして、ステップＳＴ６に進む。
【００４３】
ここで、上記ステップＳＴ２において、再生データ蓄積バッファメモリ７に蓄積された再生データ量では現在再生中の曲の最後まで再生不可能であると判断した場合（ステップＳＴ２でＮＯ）に進む、ステップＳＴ５の説明を行う。
【００４４】
ステップＳＴ５において、再生データ蓄積処理回路８は、サーボ制御によってモータ２を高速回転させて再生データ７Ｓの再生速度を高速にして蓄積処理を開始する。そして、ステップＳＴ６に進む。サーボ制御による高速での蓄積処理は、再生データ蓄積処理回路８からＣＰＵ４を介してモータサーボ３への命令により行われる。また、この場合、メモリ容量管理回路９において、再生データ蓄積バッファメモリ７に蓄積された再生データ量が、特に所定の基準値を大きく下回れっていると判断された場合は、再生データが枯渇する可能性が高いので、それに合わせて再生速度を上げて蓄積処理を行うようにＣＰＵ４に命じることもできる。このように、再生データ蓄積バッファメモリ７に蓄積された再生データ量に応じて再生速度を調整するこで、再生データ蓄積バッファメモリ７に対する再生データ７Ｓの蓄積を柔軟に行うことができる。
【００４５】
次に、ステップＳＴ６において、上記蓄積処理の開始の際に、再生データ７Ｓを蓄積するための基準を選択する。すなわち、メモリ容量管理回路９は、上記蓄積処理の開始の際に、メモリ充足処理選択回路１２に対して、再生データ７Ｓを蓄積するための基準を選択するように命じ、メモリ充足処理選択回路１２は、以下のいずれかの基準を用いて再生データ７Ｓを蓄積するかを選択する。上記の通り、機器の内部で再生処理を行ってメモリ容量管理回路９内の所定の基準値に到達するまで再生データ７Ｓを蓄積するのか、またはタイマー回路１０内の所定の基準時間に到達するまで再生データ７Ｓを蓄積するのか、またはその両方の基準を用いて再生データ７Ｓの蓄積処理を行っていずれかの基準に先に到達するまで再生データ７Ｓを蓄積するのかのいずれかを選択する。
【００４６】
そして、メモリ充足処理選択回路１２がメモリ容量管理回路９内の所定の基準値に到達するまで再生データ７Ｓを蓄積することを選択した場合は、ステップＳＴ７に進み、再生データ蓄積処理回路８から、ＣＰＵ４などを介して、その所定の基準値に到達するまで、再生データ７Ｓを再生データ蓄積バッファメモリ７に蓄積させる。そして、ステップＳＴ１０に進む。
【００４７】
また、メモリ充足処理選択回路１２がタイマー回路１０内の所定の基準時間に到達するまで再生データ７Ｓを蓄積することを選択した場合は、ステップＳＴ８に進み、再生データ蓄積処理回路８から、ＣＰＵ４などを介して、その所定の基準時間に到達するまで再生データ７Ｓを再生データ蓄積バッファメモリ７に蓄積させる。そして、ステップＳＴ１０に進む。
【００４８】
また、メモリ充足処理選択回路１２が両方の基準を用いて再生データ７Ｓの蓄積処理を行って、いずれかの基準に先に到達するまで再生データ７Ｓを蓄積することを選択した場合は、ステップＳＴ９に進み、再生データ蓄積処理回路８から、ＣＰＵ４などを介して、その所定の基準値または所定の基準時間に到達するまで再生データ７Ｓを再生データ蓄積バッファメモリ７に蓄積させる。この場合、メモリ容量管理回路９によって再生データ蓄積バッファメモリ７に蓄積された再生データ量が所定の基準値に到達することが判断されるか、タイマー回路１０の所定の基準時間に到達するかのいずれか早い方に到達することによって、この場合の再生データ７Ｓの蓄積処理を行うことは可能である。そして、ステップＳＴ１０に進む。
【００４９】
なお、ステップＳＴ５経由でその選択（ステップＳＴ６）がなされて蓄積処理の開始を行う場合は、以上のステップＳＴ７〜ＳＴ９においては、上記の通りサーボ制御によって再生速度を高速にして再生データ７Ｓを再生データ蓄積バッファメモリ７に蓄積させることは言うまでもない。
【００５０】
最後に、ステップＳＴ１０において、所定の基準値に到達するまで再生データの蓄積処理を行う場合、メモリ容量管理回路９は再生データ蓄積バッファメモリに蓄積された再生データ７Ｓが所定の基準値に到達したことを判断すると、メモリ容量管理回路９から再生出力開始停止指示回路１３を介して、再生出力スイッチ回路１１に対して再生データ７Ｓの再生処理の再開を命じる。また、所定の基準時間に到達するまで再生データ７Ｓの蓄積処理を行う場合、タイマー回路１０の所定の基準時間が経過すると、再生出力開始停止指示回路１３を介して、再生出力スイッチ回路１１に対して再生データ７Ｓの再生処理の再開を命じる。さらに、ステップＳＴ９からステップＳＴ１０に進んでいる場合には、上記いずれか早くその基準に到達すると、再生出力開始停止指示回路１３を介して、再生出力スイッチ回路１１に対して再生データ７Ｓの再生処理の再開を命じる。
【００５１】
なお、ステップＳＴ３において、再生中の曲が最後の曲以外の場合はステップＳＴ４に進んで、曲間で再生出力を停止して再生データ７Ｓの蓄積処理を開始する場合について説明したが、本実施形態はこれに限る趣旨ではなく、本発明に係る情報記録再生装置を搭載する機器によっては、曲間で再生出力を継続したままで再生データ７Ｓの蓄積処理を行う場合もあり得ることは言うまでもない。
【００５２】
また、上記で述べたステップＳＴ６においては、３つのケースを選択対象として説明したが、本実施形態はこれに限る趣旨ではなく、所定の基準値のみ、または所定の基準時間のみを基準に用いて再生データの蓄積処理を行う場合であっても本発明は同様に実施可能であることは言うまでもない。
【００５３】
また、上記では、再生データ７Ｓの再生出力の開始または停止の指示は、再生データ蓄積処理回路８から再生データ開始停止指示回路１３を介して再生出力スイッチ回路１１に命じる構成で説明したが、本実施形態ではこれに限る趣旨ではなく再生データ蓄積処理回路８から再生出力スイッチ回路１１に直接再生出力の開始または停止を命じる構成であっても本発明は同様に実施可能である。
【００５４】
以上のように、本実施形態によると、再生データ蓄積バッファメモリ７に蓄積されたデータ量では、最後の曲まで再生できない場合に、曲間などを利用して機器の内部で再生することによって再生データ蓄積バッファメモリ７に再生データ７Ｓを所定の基準まで充足するため、音飛び等を起こしにくくし、機器の信頼性をあげることができる。また、従来のように、再生データ７Ｓの読み出しを常時高倍速化しておく必要がないため、省電力化を可能にする。また、非常に簡単に曲間などに再生データ７Ｓの蓄積を行うため、利用者に利用上の不便を感じさせない。
【００５５】
また、再生データ７Ｓの蓄積について所定の基準値や所定の基準時間を設けて柔軟に行うため、より適切に再生データ７Ｓの蓄積を行うことができ、機器の信頼性をよりあげて、利用者の不便をより解消することができる。
【００５６】
また、蓄積された再生データ量が所定の基準値以下であり、再生中の曲の最後まで再生が不可能な場合に再生データ７Ｓの蓄積を高速に行うため、省電力化をよりきめ細かに実現することができ、また、音飛び等を起こしにくくし、機器の信頼性をあげることができ、さらには、利用者に利用上の不便を感じさせない。
【００５７】
【発明の効果】
上述のように本発明によると、再生データ蓄積バッファメモリに蓄積されたデータ量では、最後の曲まで再生できない場合に、曲間などを利用して機器の内部で再生することによって再生データ蓄積バッファメモリに再生データを所定の基準まで充足するため、音飛び等を起こしにくくし、機器の信頼性をあげることができる。また、従来のように、再生データの読み出しを常時高倍速化しておく必要がないため、省電力化を可能にする。また、非常に簡単に曲間などに再生データの蓄積を行うため、利用者に利用上の不便を感じさせない。
【図面の簡単な説明】
【図１】本発明の一実施形態における情報記録再生装置の構成を説明するためのブロック図である。
【図２】メモリ容量管理回路による再生データ量の管理例を説明するための図である。
【図３】本発明の一実施形態における情報記録再生装置の動作を説明するためのフローチャートである。
【符号の説明】
１  情報記録媒体
２  モータ（再生部に含まれる）
３  モータサーボ（再生部に含まれる）
４  ＣＰＵ（再生部に含まれる）
５  トラッキングサーボ（再生部に含まれる）
６  ピックアップ（再生部に含まれる）
７  再生データ蓄積バッファメモリ（再生データ蓄積部）
８  再生データ蓄積処理回路（再生データ蓄積処理部）
７Ｓ  再生データ
８Ｓ  サブコード信号
９  メモリ容量管理回路（再生データ蓄積処理部に含まれる）
１０  タイマー回路（カウント部）
１１  再生出力スイッチ回路（再生出力スイッチ部）
１２  メモリ充足処理選択回路（メモリ充足処理選択部）
１３  再生出力開始停止指示回路
【図１】
2004158078.tif 000003
【図２】
2004158078.tif 000004
【図３】
2004158078.tif 000005